(57)【要約】  【課題】  ディスプレイ収納部に入り込んだ異物をユーザが容易に除去することのできるディスプレイ装置を提供する。  【解決手段】  ディスプレイ装置１は、不使用位置と使用位置との間で移動可能なディスプレイ３と、ディスプレイ３を不使用位置と使用位置との間で移動させるディスプレイ用のモータ７、８と、クローズ位置とオープン位置との間で移動可能なフラップ１０と、フラップ１０をクローズ位置とオープン位置との間で移動させるフラップ用のモータ１４と、モータ７、８、１４を通常制御モードとフラップオープン制御モードで制御する制御部１９を備えている。通常制御モードでは、フラップ１０をクローズ位置からオープン位置へ移動させてディスプレイ３を不使用位置から使用位置へ移動させる。フラップオープン制御モードでは、フラップ１０のみをクローズ位置からオープン位置へ移動させる。【選択図】  図１
2012111404.tif 000002
【特許請求の範囲】
【請求項１】
ディスプレイ収納部に収納された不使用位置と、前記ディスプレイ収納部の開口部から外出した使用位置との間で移動可能であるディスプレイと、
前記ディスプレイを不使用位置と使用位置との間で移動させるディスプレイ駆動部と、
前記ディスプレイ収納部の開口部に設けられ、前記ディスプレイが不使用位置のときに前記開口部を覆うクローズ位置と、前記ディスプレイが使用位置のときに前記開口部を露出させるオープン位置との間で移動可能であるフラップと、
前記フラップをクローズ位置とオープン位置との間で移動させるフラップ駆動部と、
前記ディスプレイ駆動部と前記フラップ駆動部を、複数の制御モードで制御することが可能である制御部と、
を備え、
前記複数の制御モードは、
前記フラップをクローズ位置からオープン位置へ移動させて前記ディスプレイを不使用位置から使用位置へ移動させる、または、前記ディスプレイを使用位置から不使用位置へ移動させて前記フラップをオープン位置からクローズ位置へ移動させる通常制御モードと、
前記フラップをクローズ位置からオープン位置へ移動させて前記ディスプレイを不使用位置から使用位置へ移動させない、または、前記ディスプレイを使用位置から不使用位置へ移動させて前記フラップをオープン位置からクローズ位置へ移動させないフラップオープン制御モードと、
を含むことを特徴とするディスプレイ装置。
【請求項２】
前記制御部は、スイッチで行われた操作に基づいて、前記通常制御モードと前記フラップオープン制御モードのいずれかを選択することを特徴とする請求項１に記載のディスプレイ装置。
【請求項３】
前記制御部は、センサによる異物の検出結果に基づいて、前記通常制御モードと前記フラップオープン制御モードのいずれかを選択することを特徴とする請求項１に記載のディスプレイ装置。
【請求項４】
前記ディスプレイ駆動部は、前記ディスプレイを不使用位置と使用位置との間で移動させるときに、前記ディスプレイを出入方向にスライド移動させながらチルト方向に回動させることを特徴とする請求項１ないし請求項３のいずれかに記載のディスプレイ装置。
【請求項５】
前記ディスプレイ収納部の開口部は、上向きに設けられており、
前記ディスプレイ収納部には、前記開口部に設けられた前記フラップの下方に受け皿部が備えられていることを特徴とする請求項１ないし請求項４のいずれかに記載のディスプレイ装置。
【請求項６】
前記受け皿部は、前記ディスプレイ収納部から着脱可能に設けられていることを特徴とする請求項５に記載のディスプレイ装置。
【請求項７】
前記ディスプレイ収納部は、入口側から奥側に向けて低くなるように傾斜しており、前記入口の近傍には、ストッパが設けられていることを特徴とする請求項１ないし請求項６のいずれかに記載のディスプレイ装置。
【請求項８】
ディスプレイ収納部に収納された不使用位置と、前記ディスプレイ収納部の開口部から外出した使用位置との間で移動可能であるディスプレイと、
前記ディスプレイを不使用位置と使用位置との間で移動させるディスプレイ駆動部と、
前記ディスプレイ収納部の開口部に設けられ、前記ディスプレイが不使用位置のときに前記開口部を覆うクローズ位置と、前記ディスプレイが使用位置のときに前記開口部を露出させるオープン位置との間で移動可能であるフラップと、
前記フラップをクローズ位置とオープン位置との間で移動させるフラップ駆動部と、
を備えたディスプレイ装置のフラップ制御方法であって、
前記ディスプレイ駆動部と前記フラップ駆動部は、前記フラップをクローズ位置からオープン位置へ移動させて前記ディスプレイを不使用位置から使用位置へ移動させる、または、前記ディスプレイを使用位置から不使用位置へ移動させて前記フラップをオープン位置からクローズ位置へ移動させる通常制御モードで制御することが可能であり、
前記フラップ制御方法は、
前記ディスプレイ駆動部と前記フラップ駆動部を、前記フラップをクローズ位置からオープン位置へ移動させて前記ディスプレイを不使用位置から使用位置へ移動させない、または、前記ディスプレイを使用位置から不使用位置へ移動させて前記フラップをオープン位置からクローズ位置へ移動させないフラップオープン制御モードで制御することを特徴とするフラップ制御方法。
【発明の詳細な説明】
【技術分野】
【０００１】
本発明は、車載用の可動ディスプレイ等として用いられるディスプレイ装置に関するものである。
【背景技術】
【０００２】
従来、車載用ディスプレイ装置として、ディスプレイが可動式のものが提案されている（例えば、特許文献１参照）。可動式のディスプレイ装置は、使用時にディスプレイがダッシュボードから突出した状態となり、不使用時にディスプレイがダッシュボードに収納された状態（蓋体で覆われた状態）となる。
【先行技術文献】
【特許文献】
【０００３】
【特許文献１】特開平８−９２９１号公報（７頁、図１）
【発明の概要】
【発明が解決しようとする課題】
【０００４】
ところで、従来の可動式のディスプレイ装置には、種々のタイプが存在し、その中には、ディスプレイを不使用状態から使用状態にするときに、蓋体を開いてから、ディスプレイをダッシュボードから突出させるタイプのものがある。そして、そのようなタイプのディスプレイ装置では、ディスプレイを使用状態から不使用状態にするときにも、蓋体が開いた状態でディスプレイをダッシュボードに収納してから、蓋体を閉じる動作を行うことになる。したがって、ディスプレイを不使用状態から使用状態にするときにも、ディスプレイを使用状態から不使用状態にするときにも、蓋体が開いた状態が存在することになる。
【０００５】
ダッシュボードには硬貨やカードなどが置かれることがあるが、従来のディスプレイ装置では、蓋体が開いた隙間から硬貨やカードなどの異物が内部に入り込んでしまうと、その異物をユーザが容易に除去することができないという問題があった。
【０００６】
本発明は、上記従来の問題を解決するためになされたもので、ディスプレイ収納部に入り込んだ異物をユーザが容易に除去することのできるディスプレイ装置を提供することを目的とする。
【課題を解決するための手段】
【０００７】
本発明のディスプレイ装置は、ディスプレイ収納部に収納された不使用位置と、前記ディスプレイ収納部の開口部から外出した使用位置との間で移動可能であるディスプレイと、前記ディスプレイを不使用位置と使用位置との間で移動させるディスプレイ駆動部と、前記ディスプレイ収納部の開口部に設けられ、前記ディスプレイが不使用位置のときに前記開口部を覆うクローズ位置と、前記ディスプレイが使用位置のときに前記開口部を露出させるオープン位置との間で移動可能であるフラップと、前記フラップをクローズ位置とオープン位置との間で移動させるフラップ駆動部と、前記ディスプレイ駆動部と前記フラップ駆動部を、複数の制御モードで制御することが可能である制御部と、を備え、前記複数の制御モードは、前記フラップをクローズ位置からオープン位置へ移動させて前記ディスプレイを不使用位置から使用位置へ移動させる、または、前記ディスプレイを使用位置から不使用位置へ移動させて前記フラップをオープン位置からクローズ位置へ移動させる通常制御モードと、前記フラップをクローズ位置からオープン位置へ移動させて前記ディスプレイを不使用位置から使用位置へ移動させない、または、前記ディスプレイを使用位置から不使用位置へ移動させて前記フラップをオープン位置からクローズ位置へ移動させないフラップオープン制御モードと、を含む構成を有している。
【０００８】
この構成により、通常時には、通常制御モードでの制御を行うことによって、ディスプレイを不使用位置から使用位置に移動させる、または、ディスプレイを使用位置から不使用位置に移動させることができる。そして、ディスプレイ収納部に異物（硬貨やカードなど）が入り込んでしまった場合には、フラップオープン制御モードでの制御を行うことによって、フラップをオープン位置の状態にすることができる。したがって、ディスプレイ収納部に入り込んだ異物を、ユーザが容易に除去することができる。
【０００９】
また、本発明のディスプレイ装置では、前記制御部は、スイッチで行われた操作に基づいて、前記通常制御モードと前記フラップオープン制御モードのいずれかを選択する構成を有している。
【００１０】
この構成により、ユーザがスイッチの操作を行うことによって、通常制御モードとフラップオープン制御モードを手動で容易に選択することができる。
【００１１】
また、本発明のディスプレイ装置では、前記制御部は、センサによる異物の検出結果に基づいて、前記通常制御モードと前記フラップオープン制御モードのいずれかを選択する構成を有している。
【００１２】
この構成により、センサの検出結果によって、通常制御モードとフラップオープン制御モードを自動的に選択することが可能になる。
【００１３】
また、本発明のディスプレイ装置では、前記ディスプレイ駆動部は、前記ディスプレイを不使用位置と使用位置との間で移動させるときに、前記ディスプレイを出入方向にスライド移動させながらチルト方向に回動させる構成を有している。
【００１４】
この構成により、ディスプレイをスライド移動させながら回動させるので、ディスプレイのスライド移動と回動を別々に行う場合に比べて、ディスプレイを不使用位置と使用位置との間で移動させるときに要する時間（所要時間）を短縮することができる。
【００１５】
また、本発明のディスプレイ装置では、前記ディスプレイ収納部の開口部は、上向きに設けられており、前記ディスプレイ収納部には、前記開口部に設けられた前記フラップの下方に受け皿部が備えられている構成を有している。
【００１６】
この構成により、ディスプレイ収納部の開口部から異物（硬貨やカードなど）が落下しても、異物は受け皿部によって受けられる。この場合、受け皿部がフラップの下方に配置されており、ユーザが手を入れて異物を除去することが容易である。なお、ここでいう「上向き」には、真上方向だけでなく、斜め上方向も含まれる。
【００１７】
また、本発明のディスプレイ装置では、前記受け皿部は、前記ディスプレイ収納部から着脱可能に設けられている構成を有している。
【００１８】
この構成により、ディスプレイ収納部から受け皿部を取り外して、異物を容易に除去することができる。
【００１９】
また、本発明のディスプレイ装置では、前記ディスプレイ収納部は、入口側から奥側に向けて低くなるように傾斜しており、前記入口の近傍には、ストッパが設けられている構成を有している。
【００２０】
この構成により、ディスプレイ収納部の開口部から異物が入ってしまった場合でも、ストッパによって、受け皿部に異物を収集でき、且つ、その異物がディスプレイ収納部の奥側に入り込むのを防ぐことができる。
【００２１】
本発明のフラップ制御方法は、ディスプレイ収納部に収納された不使用位置と、前記ディスプレイ収納部の開口部から外出した使用位置との間で移動可能であるディスプレイと、前記ディスプレイを不使用位置と使用位置との間で移動させるディスプレイ駆動部と、前記ディスプレイ収納部の開口部に設けられ、前記ディスプレイが不使用位置のときに前記開口部を覆うクローズ位置と、前記ディスプレイが使用位置のときに前記開口部を露出させるオープン位置との間で移動可能であるフラップと、前記フラップをクローズ位置とオープン位置との間で移動させるフラップ駆動部と、を備えたディスプレイ装置のフラップ制御方法であって、前記ディスプレイ駆動部と前記フラップ駆動部は、前記フラップをクローズ位置からオープン位置へ移動させて前記ディスプレイを不使用位置から使用位置へ移動させる、または、前記ディスプレイを使用位置から不使用位置へ移動させて前記フラップをオープン位置からクローズ位置へ移動させる通常制御モードで制御することが可能であり、前記フラップ制御方法は、前記ディスプレイ駆動部と前記フラップ駆動部を、前記フラップをクローズ位置からオープン位置へ移動させて前記ディスプレイを不使用位置から使用位置へ移動させない、または、前記ディスプレイを使用位置から不使用位置へ移動させて前記フラップをオープン位置からクローズ位置へ移動させないフラップオープン制御モードで制御する。
【００２２】
この方法によっても、上記と同様に、ディスプレイ収納部に異物（硬貨やカードなど）が入り込んでしまった場合には、フラップオープン制御モードでの制御を行うことによって、フラップをオープン位置の状態にすることができ、ディスプレイ収納部に入り込んだ異物を、ユーザが容易に除去することができる。
【発明の効果】
【００２３】
本発明は、フラップオープン制御モードを設けることにより、ディスプレイ収納部に入り込んだ異物をユーザが容易に除去することができるという効果を有するディスプレイ装置を提供することができるものである。
【図面の簡単な説明】
【００２４】
【図１】本発明の実施の形態におけるディスプレイ装置の外観を示す斜視図
【図２】本発明の実施の形態におけるディスプレイユニットの構成の説明図  （ａ）ディスプレイユニットの平面図  （ｂ）ディスプレイユニットの側面図
【図３】本発明の実施の形態におけるディスプレイユニットの動作の説明図
【図４】本発明の実施の形態におけるフラップユニットの斜視図
【図５】本発明の実施の形態におけるフラップユニットの動作の説明図  （ａ）フラップが閉じた状態（クローズ位置の状態）の側面図  （ｂ）フラップが開いた状態（オープン位置の状態）の側面図
【図６】本発明の実施の形態におけるディスプレイ装置（通常クローズ状態）の説明図
【図７】本発明の実施の形態におけるディスプレイ装置（通常オープン状態）の説明図
【図８】本発明の実施の形態におけるディスプレイ装置（フラップオープン状態）の説明図
【図９】第１の実施の形態におけるディスプレイ装置の構成を示すブロック図
【図１０】第１の実施の形態におけるディスプレイ装置の動作を説明するためのフロー図
【図１１】第２の実施の形態におけるディスプレイ装置の構成を示すブロック図
【図１２】第２の実施の形態におけるディスプレイ装置の動作を説明するためのフロー図
【発明を実施するための形態】
【００２５】
以下、本発明の実施の形態のディスプレイ装置について、図面を用いて説明する。本実施の形態では、完全収納型の車載用可動式ディスプレイ等に用いられるディスプレイ装置の場合を例示する。
【００２６】
（第１の実施の形態）
本発明の実施の形態のディスプレイ装置の構成を、図面を参照して説明する。ここでは、まず、ディスプレイ装置の全体の構成を説明する。図１は、本実施の形態のディスプレイ装置の外観を示す斜視図である。図１に示すように、本実施の形態のディスプレイ装置１は、車両のダッシュボード２に備えられる車載用のディスプレイ装置１である。このディスプレイ装置１は、ディスプレイ３が可動式のものであり、使用時には、ディスプレイ３がダッシュボード２の外部に突出した状態となり、不使用時には、ディスプレイ３がダッシュボード２の内部に収納された状態となる（図６および図７参照）。
【００２７】
次に、ディスプレイ装置１の各部の構成を説明する。ディスプレイ装置１は、ディスプレイ３を使用位置と不使用位置との間で移動させるためのユニット（ディスプレイユニット４）を備えている。図２には、ディスプレイユニット４の一例が示されている。図２（ａ）は、ディスプレイユニット４の平面図であり、図２（ｂ）は、ディスプレイユニット４の側面図である。また、図３は、ディスプレイユニット４の動作（ディスプレイ３の使用位置と不使用位置との間での移動）の説明図である。
【００２８】
図２に示すように、ディスプレイユニット４は、ディスプレイ３が取り付けられる可動ベース５と、可動ベース５の両側に取り付けられる一対のレール６を備えている。ディスプレイ３は、可動ベース５にチルト方向に回動可能に取り付けられており、可動ベース５には、ティスプレイをチルト方向に回動させるためのチルトモータ７が備えられている。また、可動ベース５は、レール６に沿った方向（出入方向）にスライド可能であり、可動ベース５には、可動ベース５を出入方向にスライド移動させるためのスライドモータ８が備えられている。
【００２９】
上述のように、ディスプレイ３は、不使用位置（不使用時の位置）と使用位置（使用時の位置）との間で移動する（図６および図７参照）。ディスプレイ３が不使用位置のときには、ディスプレイ３は、ダッシュボード２の内部の空間に完全に収納された状態になる（図６参照）。このダッシュボード２の内部の空間は、シャーシ９によって形成されてもよい（図４参照）。その場合、シャーシ９は、ディスプレイ３を収納する機能を備えており、ディスプレイ収納部と呼ぶこともできる。そして、ディスプレイ３が使用位置のときには、ディスプレイ３がシャーシ９（ディスプレイ収納部）の開口部から外出した状態になる（図３、図７参照）。このとき、ディスプレイ３は、ダッシュボード２の開口部から外出した状態にもなっている。したがって、ダッシュボード２の開口部を、ディスプレイ収納部の開口部と呼ぶこともできる。
【００３０】
この場合、図３に示すように、ディスプレイ３が不使用位置と使用位置との間で移動するときに、出入方向にスライド移動しながらチルト方向に回動する。このようなディスプレイ３の移動は、チルトモータ７とスライドモータ８の制御により実現されている。このディスプレイユニット４のチルトモータ７とスライドモータ８は、本発明のディスプレイ駆動部に相当する。
【００３１】
ダッシュボード２の開口部には、開閉可能なフラップ１０が設けられている。そして、ディスプレイ装置１は、フラップ１０をクローズ位置（閉位置）とオープン位置（開位置）との間で移動させるためのユニット（フラップユニット１１）を備えている。図４および図５には、フラップユニット１１の一例が示されている。図４は、フラップユニット１１の斜視図であり、図５は、フラップユニット１１の動作の説明図である。図５（ａ）は、フラップ１０が閉じた状態（クローズ位置の状態）の側面図であり、図５（ｂ）は、フラップ１０が開いた状態（オープン位置の状態）の側面図である。
【００３２】
図４に示すように、フラップユニット１１は、シャーシ９の上面に取り付けられている。そして、フラップユニット１１は、フラップ１０が取り付けられる可動ベース１２と、可動ベース１２の両側に取り付けられる一対のレール１３を備えている。可動ベース１２には、可動ベース１２をレール１３に沿った方向にスライド移動させるスライドモータ１４が備えられている。フラップ１０は、可動ベース１２に回動可能に取り付けられており、シャーシ９の入口部には、フラップ１０をガイドする一対のガイド部１５が設けられている。
【００３３】
そして、図５に示すように、可動ベース１２が、レール１３に沿った方向にスライドすると、フラップ１０は、このガイド部１５にガイドされて、クローズ位置とオープン位置との間で移動可能である。図５（ａ）に示すように、フラップ１０がクローズ位置のときには、ダッシュボード２の開口部がフラップ１０で覆われた状態になる。図５（ｂ）に示すように、フラップ１０がオープン位置のときには、フラップ１０がダッシュボード２の開口部から退避して、ダッシュボード２の開口部が露出した状態になる。
【００３４】
この場合、フラップ１０のクローズ位置とオープン位置との間での移動は、スライドモータ１４の制御によって実現されている。このフラップユニット１１のスライドモータ１４は、本発明のフラップ駆動部に相当する。
【００３５】
図６〜図８に示すように、シャーシ９の上側には、ダッシュボード２の上面が配置されており、シャーシ９の下側には、エアコンダクト１６が配置されている。したがって、シャーシ９は、ダッシュボード２の上面とエアコンダクト１６の間の限られた空間（スペース）に配置されているともいえる。また、この場合、ダッシュボード２の開口部は、上向きに設けられている。なお、ここでいう「上向き」には、真上方向だけでなく、斜め上方向も含まれる。
【００３６】
シャーシ９の入口部には、受け皿１７が設けられている（図６〜図８参照）。受け皿１７は、フラップ１０の下方に配置されている。つまり、受け皿１７は、フラップ１０がオープン位置のときに、ユーザが手を入れやすい位置に配置されている。この受け皿１７は、異物の除去を容易にするために、シャーシ９から着脱可能になっている。受け皿１７の表面には、粘着加工が施されており、受け皿１７の取り外しの途中で、異物が受け皿１７から滑り落ちるのが防止されている。また、シャーシ９は、入口側から奥側に向けて低くなるように傾斜しており、入口部には、異物が奥側に入り込むのを防ぐためのストッパ１８が立設されている。
【００３７】
次に、本実施の形態のディスプレイ装置１の制御モードについて説明する。図９に示すように、ディスプレイ装置１は、制御部１９を備えている。制御部１９は、ディスプレイユニット４のチルトモータ７とスライドモータ８やフラップユニット１１のスライドモータ１４を、二つの制御モード（通常制御モードとフラップオープン制御モード）で制御する機能を備えている。
【００３８】
通常制御モードで、ディスプレイ３を不使用状態（図６参照）から使用状態（図７参照）にする動作が行われるときには、フラップ１０をクローズ位置からオープン位置へ移動させた後に、ディスプレイ３を不使用位置から使用位置へ移動させる。この動作は、ディスプレイ３のオープン動作（通常のオープン動作）と呼ぶこともできる。また、通常制御モードで、ディスプレイ３を使用状態（図７参照）から不使用状態（図６参照）にする動作（ディスプレイ３のクローズ動作）が行われるときには、ディスプレイ３を使用位置から不使用位置へ移動させた後に、フラップ１０をオープン位置からクローズ位置へ移動させる。この動作は、ディスプレイ３のクローズ動作（通常のクローズ動作）と呼ぶこともできる。
【００３９】
フラップオープン制御モードでは、ディスプレイ３の不使用状態（図６参照）からフラップ１０のみが開いた状態（図８参照）にする動作が行われる。この場合、フラップ１０をクローズ位置からオープン位置へ移動させるが、ディスプレイ３は不使用位置のままである（不使用位置から使用位置へ移動させない）。この動作は、フラップ１０のみのオープン動作と呼ぶこともできる。また、フラップオープン制御モードでは、ディスプレイ３の使用状態（図７参照）からフラップ１０のみが開いた状態（図８参照）にする動作が行われる。この場合、ディスプレイ３を使用位置から不使用位置へ移動させるが、フラップ１０はオープン位置のままである（オープン位置からクローズ位置へ移動させない）。この動作は、ディスプレイ３のみのクローズ動作と呼ぶこともできる。
【００４０】
また、図９に示すように、ディスプレイ装置１は、ディスプレイ３やフラップ１０のオープン動作またはクローズ動作を行うためのスイッチ２０を備えている。このスイッチ２０は、操作の仕方（スイッチ２０の押し方）によって制御モードを選択する機能を備えている。制御部１９は、ユーザによって行われたスイッチ２０の操作の仕方に基づいて、制御モード（通常制御モードとフラップオープン制御モード）を選択するように構成されている。なお、スイッチ２０の数は、一つであってもよく、複数（二つ以上）であってもよい。
【００４１】
例えば、スイッチ２０を所定の秒数（Ｎ秒）以上押し続ける操作（長押し操作）を行うとフラップオープン制御モードが選択され、通常のスイッチ操作（長押し操作ではない操作）を行うと通常制御モードが選択される。あるいは、スイッチ２０を所定の秒数（ｎマイクロ秒）の間に連続して押す操作（連続押し操作）を行うとフラップオープン制御モードが選択され、通常のスイッチ操作（連続押し操作ではない操作）を行うと通常制御モードが選択される。
【００４２】
以上のように構成された本実施の形態のディスプレイ装置１について、図１０のフロー図を参照してその動作を説明する。
【００４３】
図１０に示すように、スイッチ２０を押す操作（オン操作）が行われたときに（Ｓ１０）、その操作が長押し操作であるか否かの判定が行われる（Ｓ１１）。スイッチ２０の操作が長押し操作であった場合には、ディスプレイ３が使用状態であるか不使用状態であるかの判定が行われる（Ｓ１２）。そして、ディスプレイ３が使用位置（オープン位置）であった場合には、ディスプレイ３のみのクローズ動作が行われる（Ｓ１３）。一方、ディスプレイ３が不使用位置（クローズ位置）であった場合には、フラップ１０のみのオープン動作が行われる（Ｓ１４）。
【００４４】
スイッチ２０の操作が長押し操作でなかった場合には、フラップ１０がオープン位置であるかクローズ位置であるかの判定が行われる（Ｓ１５）。そして、フラップ１０がクローズ位置であった場合には、通常のオープン動作が行われる（Ｓ１６）。フラップ１０がオープン位置であった場合には、ディスプレイ３が使用位置（オープン位置）であるか不使用位置（クローズ位置）であるかの判定が行われる（Ｓ１７）。ディスプレイ３が不使用位置（クローズ位置）であった場合には、フラップ１０のみのクローズ動作が行われる（Ｓ１８）。一方、ディスプレイ３が使用位置（オープン位置）であった場合には、通常のクローズ動作が行われる（Ｓ１９）。
【００４５】
このような本実施の形態のディスプレイ装置１によれば、通常時には、通常制御モードでの制御を行うことによって、ディスプレイ３を不使用位置から使用位置に移動させる、または、ディスプレイ３を使用位置から不使用位置に移動させることができる。そして、ダッシュボード２の開口部から内部に異物（硬貨やカードなど）が入り込んでしまった場合には、フラップオープン制御モードでの制御を行うことによって、フラップ１０をオープン位置の状態にすることができる。したがって、内部に入り込んだ異物を、ユーザが容易に除去することができる。
【００４６】
また、本実施の形態では、ユーザがスイッチ２０の操作を行うことによって、通常制御モードとフラップオープン制御モードを手動で容易に選択することができる。
【００４７】
また、本実施の形態では、ディスプレイ３をスライド移動させながら回動させるので、ディスプレイ３のスライド移動と回動を別々に行う場合に比べて、ディスプレイ３を不使用位置と使用位置との間で移動させるときに要する時間（所要時間）を短縮することができる。
【００４８】
なお、このようにディスプレイ３をスライド移動させながら回動させる場合には、ディスプレイ３のスライド移動と回動を別々に行う場合に比べて、ダッシュボード２の開口部を大きくする必要があるが、本実施の形態では、ダッシュボード２の開口部を大きくなり、（その結果、ダッシュボード２の開口部とディスプレイ３との間に形成される隙間が大きくなり、）その隙間から、異物（例えば硬貨やカードなど）が内部に入り込んでしまったとしても、フラップオープン制御モードでの制御を行うことによって、フラップ１０をオープン位置の状態にすることができ、内部に入り込んだ異物を、ユーザが容易に除去することができる。
【００４９】
また、本実施の形態では、ダッシュボード２の開口部から異物（硬貨やカードなど）が落下しても、異物は受け皿１７によって受けられる。この場合、受け皿１７がフラップ１０の下方に配置されており、ユーザが手を入れて異物を除去することが容易である。さらに、本実施の形態では、受け皿１７を取り外して、異物を容易に除去することができる。
【００５０】
また、本実施の形態では、ダッシュボード２の開口部から異物が入ってしまった場合でも、ストッパ１８によって、受け皿１７に異物を収集でき、且つ、その異物がシャーシ９の奥側に入り込むのを防ぐことができる。
【００５１】
（第２の実施の形態）
次に、本発明の第２の実施の形態のディスプレイ装置１について説明する。ここでは、第２の実施の形態のディスプレイ装置１が、第１の実施の形態と相違する点を中心に説明する。ここで特に言及しない限り、本実施の形態の構成および動作は、第１の実施の形態と同様である。
【００５２】
図１１に示すように、本実施の形態のディスプレイ装置１は、ダッシュボード２の開口部から入り込んだ異物の有無を検出するセンサ２１を備えている。このセンサ２１は、例えば、受け皿１７の中の異物の有無を検出するように構成されていてもよい。そして、制御部１９は、センサ２１による異物の検出結果に基づいて、制御モード（通常制御モードとフラップオープン制御モード）を選択するように構成されている。この場合、センサ２１で異物を検出すると、通常制御モードからフラップオープン制御モードに切替えられる。
【００５３】
以上のように構成された本実施の形態のディスプレイ装置１について、図１２のフロー図を用いてその動作を説明する。
【００５４】
図１２に示すように、スイッチ２０を押す操作（オン操作）が行われたときに（Ｓ２０）、センサ２１によって異物が検出されたか否かの判定が行われる（Ｓ２１）。センサ２１によって異物が検出された場合には、ディスプレイ３が使用状態であるか不使用状態であるかの判定が行われる（Ｓ２２）。そして、ディスプレイ３が使用位置（オープン位置）であった場合には、ディスプレイ３のみのクローズ動作が行われる（Ｓ２３）。一方、ディスプレイ３が不使用位置（クローズ位置）であった場合には、フラップ１０のみのオープン動作が行われる（Ｓ２４）。
【００５５】
センサ２１によって異物が検出されなかった場合には、フラップ１０がオープン位置であるかクローズ位置であるかの判定が行われる（Ｓ２５）。そして、フラップ１０がクローズ位置であった場合には、通常のオープン動作が行われる（Ｓ２６）。フラップ１０がオープン位置であった場合には、ディスプレイ３が使用位置（オープン位置）であるか不使用位置（クローズ位置）であるかの判定が行われる（Ｓ２７）。ディスプレイ３が不使用位置（クローズ位置）であった場合には、フラップ１０のみのクローズ動作が行われる（Ｓ２８）。一方、ディスプレイ３が使用位置（オープン位置）であった場合には、通常のクローズ動作が行われる（Ｓ２９）。
【００５６】
このような本発明の第２の実施の形態のディスプレイ装置１によっても、第１の実施の形態と同様の作用効果が奏される。さらに、本実施の形態では、センサ２１の検出結果によって、通常制御モードとフラップオープン制御モードを自動的に選択することが可能になる。
【００５７】
以上、本発明の実施の形態を例示により説明したが、本発明の範囲はこれらに限定されるものではなく、請求項に記載された範囲内において目的に応じて変更・変形することが可能である。
【産業上の利用可能性】
【００５８】
以上のように、本発明にかかるディスプレイ装置は、ディスプレイ収納部に入り込んだ異物をユーザが容易に除去することができるという効果を有し、完全収納型の車載用可動式ディスプレイ等として用いられ、有用である。
【符号の説明】
【００５９】
１  ディスプレイ装置
２  ダッシュボード
３  ディスプレイ
４  ディスプレイユニット
５  可動ベース
６  レール
７  チルトモータ
８  スライドモータ
９  シャーシ
１０  フラップ
１１  フラップユニット
１２  可動ベース
１３  レール
１４  スライドモータ
１５  ガイド部
１６  エアコンダクト
１７  受け皿
１８  ストッパ
１９  制御部
２０  スイッチ
２１  センサ
【図１】
2012111404.tif 000003
【図２】
2012111404.tif 000004
【図３】
2012111404.tif 000005
【図４】
2012111404.tif 000006
【図５】
2012111404.tif 000007
【図６】
2012111404.tif 000008
【図７】
2012111404.tif 000009
【図８】
2012111404.tif 000010
【図９】
2012111404.tif 000011
【図１０】
2012111404.tif 000012
【図１１】
2012111404.tif 000013
【図１２】
2012111404.tif 000014